(57)【要約】      （修正有）【課題】供給される電流と吸収される電流との間の差を補償することが可能な改善されたチャージポンプ回路等を提供する。【解決手段】チャージポンプ回路は、出力ノード２１０、電流ソース回路２２２、電流シンク回路２３２、第１増幅器回路２２４、及び第２増幅器回路２３４を有する。電流ソース回路２２２は、出力ノード２１０へ電流を供給するよう構成される。電流シンク回路２３２は、出力ノード２１０から電流を吸収するよう構成される。第１増幅器回路２２４は、出力ノード２１０での電圧に基づき、電流ソース回路２２２によって供給される第１電流量を調整するよう構成される。第２増幅器回路２３４は、出力ノード２１０での電圧に基づき、電流ソース回路２２２によって供給される第１電流量、又は電流シンク回路２３２によって吸収される第２電流量を調整するよう構成される。【選択図】図２Ａ
2016195377.tif 000002
【特許請求の範囲】
【請求項１】
出力ノードと、
前記出力ノードへ電流を供給するよう構成される電流ソース回路と、
前記出力ノードから電流を吸収するよう構成される電流シンク回路と、
前記出力ノードでの電圧に基づき、前記電流ソース回路によって供給される第１電流量を調整するよう構成される第１増幅器回路と、
前記出力ノードでの前記電圧に基づき、前記電流ソース回路によって供給される前記第１電流量、又は前記電流シンク回路によって吸収される第２電流量を調整するよう構成される第２増幅器回路と
を有するチャージポンプ回路。
【請求項２】
前記第２増幅器回路は、前記出力ノードでの前記電圧に基づき、前記電流シンク回路によって吸収される前記第２電流量のみを調整するよう構成される、
請求項１に記載のチャージポンプ回路。
【請求項３】
前記出力ノードでの前記電圧が閾電圧を下回る場合に、前記第１増幅器回路は、前記電流ソース回路によって供給される前記第１電流量を減らすよう構成され、前記第２増幅器回路は、前記電流シンク回路によって吸収される前記第２電流量を増やすよう構成される、
請求項２に記載のチャージポンプ回路。
【請求項４】
前記出力ノードでの前記電圧が前記閾電圧を上回る場合に、前記第２増幅器回路は、前記電流シンク回路によって吸収される前記第２電流量を減らすよう構成され、前記第１増幅器回路は、前記電流ソース回路によって供給される前記第１電流量を増やすよう構成される、
請求項３に記載のチャージポンプ回路。
【請求項５】
前記第２増幅器回路は、前記電流ソース回路によって供給される前記第１電流量のみを調整するよう構成される、
請求項１に記載のチャージポンプ回路。
【請求項６】
前記出力ノードでの前記電圧が閾電圧を下回る場合に、前記第１増幅器回路は、前記電流ソース回路によって供給される前記第１電流量を減らすよう構成され、
前記出力ノードでの前記電圧が前記閾電圧を上回る場合に、前記第２増幅器回路は、前記電流ソース回路によって供給される前記第１電流量を増やすよう構成される、
請求項５に記載のチャージポンプ回路。
【請求項７】
前記第１増幅器回路は、前記出力ノードでの前記電圧に対して第１動作範囲を有し、
前記第２増幅器回路は、前記出力ノードでの前記電圧に対して第２動作範囲を有し、
前記第１動作範囲及び前記第２動作範囲は、重なり合う、
請求項１に記載のチャージポンプ回路。
【請求項８】
前記第１増幅器回路の前記第１動作範囲は、前記第２増幅器回路の前記第２動作範囲よりも低い、
請求項７に記載のチャージポンプ回路。
【請求項９】
前記第１増幅器回路の前記第１動作範囲は、接地で限界を有し、
前記第２増幅器回路の前記第２動作範囲は、当該チャージポンプ回路の電源電圧で限界を有する、
請求項７に記載のチャージポンプ回路。
【請求項１０】
前記電流ソース回路と前記出力ノードとを選択的に電気的に結合するよう構成される第１スイッチ回路と、
前記電流シンク回路と前記出力ノードとを選択的に電気的に結合するよう構成される第２スイッチ回路と
を更に有する請求項１に記載のチャージポンプ回路。
【請求項１１】
出力ノードと、
電源電流を供給するよう構成される電流入力ノードと、
前記電源電流に基づき前記出力ノードへ電流を供給するよう構成される第１電流ミラー回路と、
前記電源電流に基づき前記出力ノードから電流を吸収するよう構成される第２電流ミラー回路と、
前記出力ノードでの電圧に基づき、前記第１電流ミラー回路によって供給される電流の量を調整するよう構成されるインバータ回路と
を有するチャージポンプ回路。
【請求項１２】
前記出力ノードでの前記電圧が閾電圧を下回る場合に、前記インバータ回路は、前記第１電流ミラー回路によって供給される第１電流量を減らすよう構成され、
前記出力ノードでの前記電圧が前記閾電圧を上回る場合に、前記インバータ回路は、前記第１電流ミラー回路によって供給される前記第１電流量を増やすよう構成される、
請求項１１に記載のチャージポンプ回路。
【請求項１３】
前記インバータ回路は、第１増幅器回路及び第２増幅器回路を含む、
請求項１１に記載のチャージポンプ回路。
【請求項１４】
前記第１増幅器回路は、前記出力ノードでの前記電圧に対して第１動作範囲を有し、
前記第２増幅器回路は、前記出力ノードでの前記電圧に対して第２動作範囲を有し、
前記第１動作範囲及び前記第２動作範囲は、重なり合う、
請求項１３に記載のチャージポンプ回路。
【請求項１５】
前記第１増幅器回路の前記第１動作範囲は、接地で限界を有し、
前記第２増幅器回路の前記第２動作範囲は、当該チャージポンプ回路の電源電圧で限界を有する、
請求項１４に記載のチャージポンプ回路。
【請求項１６】
前記第１電流ミラー回路と前記出力ノードとを選択的に電気的に結合するよう構成される第１スイッチ回路と、
前記第２電流ミラー回路と前記出力ノードとを選択的に電気的に結合するよう構成される第２スイッチ回路と
を更に有する請求項１１に記載のチャージポンプ回路。
【請求項１７】
チャージポンプ回路の出力ノードへ供給される第１電流量を、前記出力ノードでの電圧に基づき調整し、
前記チャージポンプ回路の前記出力ノードから吸収される第２電流量を、前記出力ノードでの前記電圧に基づき調整する
ことを有する方法。
【請求項１８】
前記出力ノードでの前記電圧が閾電圧を下回る場合に、前記出力ノードへ供給される前記第１電流量は減らされ、前記出力ノードから吸収される前記第２電流量は増やされる、
請求項１７に記載の方法。
【請求項１９】
前記出力ノードでの前記電圧が前記閾電圧を上回る場合に、前記出力ノードへ供給される前記第１電流量は増やされ、前記出力ノードから吸収される前記第２電流量は減らされる、
請求項１８に記載の方法。
【請求項２０】
第１増幅器によって、前記出力ノードへ供給される前記第１電流量の調整を管理し、
第２増幅器によって、前記出力ノードから吸収される前記第２電流量の調整を管理する
ことを更に有する請求項１７に記載の方法。
【発明の詳細な説明】
【技術分野】
【０００１】
ここで開示される実施形態は、チャージポンプ電流調整に関する。
【背景技術】
【０００２】
多くの回路は、バイポーラスイッチド電流源として動作することができるチャージポンプを今日使用している。例えば、チャージポンプは、アナログ及び／又はデジタル／アナログ位相ロックループ（ＰＬＬ；Phase-Locked  Loop(s)）において使用されてよい。ＰＬＬは、ＰＬＬ内のチャージポンプの挙動における小さな変化によりＰＬＬが正確に機能しなくなることがあるほどに高感度である。例えば、アップ電流パルスとダウン電流パルスとの間の電流不一致を示すＰＬＬ内のチャージポンプは、ＰＬＬにおける非零の静的位相誤差及び／又はＰＬＬが信号をロックすることができなくなることを生じさせ得る。チャージポンプにおける電流不一致は、チャージポンプの出力インピーダンスが、チャージポンプの動作速度の高速化及び／又はチャージポンプの電源電圧レベルの低下に起因して低下することで起こり得る。
【０００３】
ここで請求される対象は、上述されたようなあらゆる欠点も解消する実施形態、又は上述されたような環境でしか動作しない実施形態に制限されない。むしろ、この背景技術は、ここで記載される幾つかの実施形態が実施され得る技術分野の一例を説明するためにのみ与えられている。
【発明の概要】
【発明が解決しようとする課題】
【０００４】
本発明は、供給される電流と吸収される電流との間の差を補償することが可能な改善されたチャージポンプ回路及び対応する方法を対象とする。
【課題を解決するための手段】
【０００５】
本発明の実施形態は、出力ノードと、該出力ノードへ電流を供給するよう構成される電流ソース回路と、前記出力ノードから電流を吸収するよう構成される電流シンク回路と、前記出力ノードでの電圧に基づき、前記電流ソース回路によって供給される第１電流量を調整するよう構成される第１増幅器回路と、前記出力ノードでの前記電圧に基づき、前記電流ソース回路によって供給される前記第１電流量、又は前記電流シンク回路によって吸収される第２電流量を調整するよう構成される第２増幅器回路とを有するチャージポンプ回路を提供する。
【０００６】
本発明の他の実施形態は、出力ノードと、電源電流を供給するよう構成される電流入力ノードと、前記電源電流に基づき前記出力ノードへ電流を供給するよう構成される第１電流ミラー回路と、前記電源電流に基づき前記出力ノードから電流を吸収するよう構成される第２電流ミラー回路と、前記出力ノードでの電圧に基づき、前記第１電流ミラー回路によって供給される電流の量を調整するよう構成されるインバータ回路とを有するチャージポンプ回路を提供する。
【０００７】
本発明の更なる他の実施形態は、チャージポンプ回路の出力ノードへ供給される第１電流量を、前記出力ノードでの電圧に基づき調整し、前記チャージポンプ回路の前記出力ノードから吸収される第２電流量を、前記出力ノードでの前記電圧に基づき調整することを有する方法を提供する。
【発明の効果】
【０００８】
本発明の実施形態によれば、供給される電流と吸収される電流との間の差を補償することが可能な改善されたチャージポンプ回路及び対応する方法を提供することが可能となる。
【図面の簡単な説明】
【０００９】
例となる実施形態は、添付の図面を使用して追加的な特定及び詳細をもって記載され説明される。
【００１０】
【図１】例となる位相ロックループ回路の図である。
【図２Ａ】例となるチャージポンプ回路の図である。
【図２Ｂ】他の例となるチャージポンプ回路の図である。
【図３】他の例となるチャージポンプ回路の図である。
【図４Ａ】他の例となるチャージポンプ回路の図である。
【図４Ｂ】他の例となるチャージポンプ回路の図である。
【図５】チャージポンプ回路において電流を調整する方法の例のフローチャートである。
【発明を実施するための形態】
【００１１】
［要約］
実施形態の一態様に従って、チャージポンプ回路は、出力ノード、電流ソース回路、電流シンク回路、第１増幅器回路、及び第２増幅器回路を有してよい。前記電流ソース回路は、前記出力ノードへ電流を供給するよう構成されてよい。前記電流シンク回路は、前記出力ノードから電流を吸収するよう構成されてよい。前記第１増幅器回路は、前記出力ノードでの出力に基づき、前記電流ソース回路によって供給される第１電流量を調整するよう構成されてよい。前記第２増幅器回路は、前記出力ノードでの前記電圧に基づき、前記電流ソース回路によって供給される前記第１電流量、又は前記電流シンク回路によって吸収される第２電流量を調整するよう構成されてよい。
【００１２】
実施形態の目的及び利点は、特許請求の範囲において特に指し示されている要素、特徴、及び組み合わせによって少なくとも実現され達成されるであろう。
【００１３】
前述の概要及び下記の詳細な説明は、例示及び説明であり、請求される発明の限定ではない点が理解されるべきである。
【００１４】
［実施形態の説明］
実施形態の一態様に従って、チャージポンプ回路が開示される。チャージポンプ回路は、チャージポンプ回路の有限な出力インピーダンスを補償するように、出力ノードへ供給される電流及び出力ノードから吸収される電流を調整する。一般に、高速（例えば、１ギガヘルツ（ＧＨｚ）を上回る速度）で及び／又は低電圧（例えば、１ボルトを下回る電圧）で動作するチャージポンプ回路は、より低い出力インピーダンスを有し得る。結果として、出力ノードへ供給される電流又は出力ノードから吸収される電流は、出力ノードでの電圧に依存し得る。結果として、供給される電流と吸収される電流とは、異なることとなる。
【００１５】
ここで開示されるチャージポンプ回路は、供給される電流と吸収される電流との間の差を補償するように、出力ノードでの電圧に基づき、供給される電流及び／又は吸収される電流を調整してよい。幾つかの実施形態では、例となるチャージポンプ回路は、供給される電流又は吸収される電流を調整するよう構成される２つの増幅器を有してよい。
【００１６】
本開示の実施形態は、添付の図面を参照して説明される。
【００１７】
図１は、ここで記載される少なくとも１つの実施形態に従って配置される、例となる位相ロックループ回路１００（“回路１００”）の図である。回路１００は、位相検出回路１１０、チャージポンプ回路１２０、ループフィルタ回路１３０、電圧制御発振器回路（“ＶＣＯ”）１４０、及び分割器回路１５０を有してよい。幾つかの実施形態では、回路１００は、出力信号の周波数及び位相を、基準信号の周波数及び位相又は基準信号の周波数及び位相の倍数にロックするために使用されてよい。
【００１８】
幾つかの実施形態では、位相検出回路１１０は、基準信号の位相をフィードバック信号と比較するよう構成されてよい。フィードバック信号は、出力信号に基づき生成されてよい。幾つかの実施形態では、フィードバック信号は出力信号であってよい。代替的に、又は追加的に、出力信号は、分割器回路１５０の除数に基づくフィードバック信号の倍数であってよい。
【００１９】
位相検出回路１１０は、アップ及びダウン信号を生成し、それらのアップ及びダウン信号をチャージポンプ回路１２０へ供給するよう構成されてよい。アップ及びダウン信号は、回路１００のための制御信号として働いてよい。例えば、アップ及びダウン信号は、出力信号、ひいてはフィードバック信号の位相及び／又は周波数を調整するために使用されてよく、それにより、出力信号は、基準信号の位相及び／又は周波数にロック（例えば、一致）する。
【００２０】
アップ及びダウン信号の状態は、フィードバック信号の位相が基準信号の位相よりも進んでいるのか（減速する必要があるのか）、それとも遅れているのか（加速する必要があるのか）に依存してよい。例えば、幾つかの実施形態では、フィードバック信号の位相が基準信号の位相よりも遅れている場合に、アップ及びダウン信号は第１の状態にあってよい。例えば、アップ信号及びダウン信号はいずれも論理０であってよく、例えば、チャージポンプ回路１２０内のトランジスタの論理０閾値を下回る電圧レベルを有してよい。代替的に、又は追加的に、幾つかの実施形態では、フィードバック信号の位相が基準信号の位相よりも進んでいる場合に、アップ及びダウン信号は第２の状態にあってよい。例えば、アップ信号及びダウン信号はいずれも論理１であってよく、例えば、チャージポンプ回路１２０内のトランジスタの論理１閾値を上回る電圧レベルを有してよい。
【００２１】
チャージポンプ回路１２０は、アップ及びダウン信号を受信してよく、アップ及びダウン信号に基づきその出力部で電流パルスを生成してよい。電流パルスは、ループフィルタ回路１３０へ供給される制御信号を生じさせてよい。例えば、アップ及びダウン信号が第１の状態にある場合に、チャージポンプ回路１２０は、その出力部へ電流を供給する電流パルスを生成してよい。対照的に、アップ及びダウン信号が第２の状態にある場合に、チャージポンプ回路１２０は、その出力部から電流を吸収する電流パルスを生成してよい。
【００２２】
その出力部に対する電流の供給及び吸収は、ループフィルタ回路１３０へ供給される制御信号の電圧を変化させ得る。フィードバック信号が基準信号によりロックされる場合に、アップ及びダウン信号は、時間にわたってチャージポンプ回路１２０によって供給及び吸収される電流の量が等しいか、あるいは、制御信号の電圧が略等しく保つほどに略等しくなるように、第１の状態と第２の状態とを交互に繰り返してよい。代替的に、フィードバック信号が基準信号によりロックされない場合に、アップ及びダウン信号は、制御信号の電圧を調整するよう時間にわたってより多くの電流がチャージポンプ回路１２０によって供給及び吸収され得るように、第１の状態と第２の状態とを交互に繰り返してよい。制御信号の電圧を調整することは、フィードバック信号の周波数及び／又は位相が調整されることをもたらし得る。
【００２３】
幾つかの実施形態では、チャージポンプ回路１２０は、ある電流パルスの間に供給又は吸収される電流の量の差を補償するよう構成されてよい。例えば、チャージポンプ回路１２０の出力部での有限な出力インピーダンスに起因して、ある電流パルスの間に供給又は吸収される電流の量は、制御信号の電圧レベルに依存してよい。特に、１ギガヘルツ（ＧＨｚ）を上回る速度で、特に１０ＧＨｚを上回って、及び／又は低電圧、例えば、１ボルトを下回る電圧で動作するチャージポンプは、より低い出力インピーダンスを有し得る。よって、基準信号及びフィードバック信号の各々の位相が等しいか又は略等しく、チャージポンプ回路１２０が等量のソース及びシンク電流パルスを生成している場合でさえ、ソース及びシンク電流パルスの電流の量は等しくないので、制御信号の電圧は変化し得る。制御信号の電圧の変化は、静的位相誤差及び／又は回路１００がフィードバック信号を基準信号にロックすることができなくなることを生じさせ得る。
【００２４】
電流パルスの間に供給又は吸収される電流の量の差を補償するよう、チャージポンプ回路１２０は、制御信号の電圧レベルに基づき、電流を供給又は吸収する電流源を調整してよい。如何にして電流源が調整されるのかについての更なる説明は、以降で与えられる。
【００２５】
制御信号は、ループフィルタ回路１３０へ供給されてよい。ループフィルタ回路１３０は、制御信号にフィルタをかけてよく、フィルタをかけられた制御信号をＶＣＯ１４０へ供給してよい。ＶＣＯは、フィルタをかけられた制御信号の電圧に比例し得る周波数及び／又は位相をもって出力信号を生成してよい。分割器回路１５０は、位相検出回路１１０へフィードバックされ得るフィードバック信号を生成するよう出力信号を分割してよい。結果として、出力信号の周波数は、基準信号の周波数の倍数であってよい。
【００２６】
変更、追加、又は削除は、本開示の適用範囲から逸脱することなしに、回路１００に対してなされてよい。例えば、幾つかの実施形態では、回路１００は、追加の受動又は能動回路部品を有してよい。他の例として、回路１００は、分割器回路１５０を含まなくてよい。
【００２７】
図２Ａは、ここで記載される少なくとも１つの実施形態に従って配置される、例となるチャージポンプ回路２００ａ（“回路２００ａ”）の図である。回路２００ａは、出力ノード２１０、第１スイッチ回路２２０、電流ソース回路２２２、第１増幅器回路２２４、第２スイッチ回路２３０、電流シンク回路２３２、及び第２増幅器回路２３４を有してよい。
【００２８】
第１スイッチ回路２２０は、電流ソース回路２２２を出力ノード２１０と選択的に電気的に結合するよう構成されてよい。第１スイッチ回路２２０は、アップ信号に基づき、電流ソース回路２２２と出力ノード２１０とを電気的に結合及び／又は切り離ししてよい。幾つかの実施形態では、アップ信号は、例えば図１の位相検出回路１１０などの位相検出回路から受信されてよい。アップ信号が第１の状態にあるとき、アップ信号は、電流ソース回路２２２が出力ノード２１０へ電流を供給し得るように、第１スイッチ回路２２０に、電流ソース回路２２２と出力ノード２１０とを電気的に結合するよう指示し及び／又はそのようにさせてよい。アップ信号が第２の状態にあるとき、アップ信号は、電流ソース回路２２２が出力ノード２１０へ電流を供給し得ないように、第１スイッチ回路２２０に、電流ソース回路２２２と出力ノード２１０とを電気的に切り離すよう指示し及び／又はそのようにさせてよい。
【００２９】
第２スイッチ回路２３０は、電流シンク回路２３２を出力ノード２１０と選択的に電気的に結合するよう構成されてよい。第２スイッチ回路２３０は、ダウン信号に基づき、電流シンク回路２３２と出力ノード２１０とを電気的に結合及び／又は切り離ししてよい。幾つかの実施形態では、ダウン信号は、例えば図１の位相検出回路１１０などの位相検出回路から受信されてよい。ダウン信号が第１の状態にあるとき、ダウン信号は、電流シンク回路２３２が出力ノード２１０から電流を吸収し得ないように、第２スイッチ回路２３０に、電流シンク回路２３２と出力ノード２１０とを電気的に切り離すよう指示し及び／又はそのようにさせてよい。ダウン信号が第２の状態にあるとき、ダウン信号は、電流シンク回路２３２が出力ノード２１０から電流を吸収し得るように、第２スイッチ回路２３０に、電流シンク回路２３２と出力ノード２１０とを電気的に結合するよう指示し及び／又はそのようにさせてよい。
【００３０】
幾つかの実施形態では、アップ及びダウン信号は、第１スイッチ回路２２０及び第２スイッチ回路２３０のうちの一方が電流ソース回路２２２及び電流シンク回路２３２のうちの一方を出力ノード２１０と電気的に結合しているように構成されてよい。例えば、第１の状態では、第１スイッチ回路２２０は、電流ソース回路２２２と出力ノード２１０とを電気的に結合してよく、第２スイッチ回路２３０は、電流シンク回路２３２と出力ノード２１０とを電気的に切り離してよい。第２の状態では、第１スイッチ回路２２０は、電流ソース回路２２２と出力ノード２１０とを電気的に切り離してよく、第２スイッチ回路２３０は、電流シンク回路２３２と出力ノード２１０とを電気的に結合してよい。
【００３１】
電流ソース回路２２２は、出力ノード２１０へ電流を供給するよう構成されてよい。特に、電流ソース回路２２２は、電流ソース回路２２２の無限の出力インピーダンスを仮定して、出力ノード２１０へ第１電流量を供給するよう構成されてよい。
【００３２】
電流シンク回路２３２は、出力ノード２１０から電流を吸収するよう構成されてよい。特に、電流シンク回路２３２は、電流シンク回路２３２の無限の出力インピーダンスを仮定して、出力ノード２１０から第２電流量を吸収するよう構成されてよい。
【００３３】
電流ソース回路２２２及び電流シンク回路２３２はいずれも有限な出力インピーダンスを有するので、幾つかの実施形態では、供給又は吸収される電流は、第１の量に等しくないか又は略等しくないことがある。然るに、ソース及びシンク電流は異なることがある。第１増幅器回路２２４及び第２増幅器回路２３４は、電流ソース回路２２２及び電流シンク回路２３２によって供給又は吸収される電流を調整するように、電流ソース回路２２２及び電流シンク回路２３２を夫々調整するよう構成されてよい。電流ソース回路２２２及び電流シンク回路２３２によって供給又は吸収される電流は、回路２００ａによって受信される同数のアップ及びダウン信号について、供給される電流の量と吸収される電流の量とが等しいか又はほぼ等しくなるように調整されてよい。
【００３４】
例えば、第１増幅器回路２２４は、出力ノード２１０での電圧レベルに基づき、電流ソース回路２２２によって供給される電流を調整するよう構成されてよい。例えば、幾つかの実施形態では、電圧レベルは、ソース閾電圧と比較されてよい。幾つかの実施形態では、ソース閾電圧は、回路２００ａの出力部での電圧振幅に基づいてよい。代替的に、又は追加的に、ソース閾電圧は、第１増幅器回路２２４の動作電圧及びパラメータに基づいてよい。例えば、第１増幅器回路２２４が１つ以上の能動素子（例えば、トランジスタなど）である場合に、ソース閾電圧は、トランジスタの閾電圧、トランジスタの種々の動作範囲のための電圧レベル、及び／又は回路２００ａにおけるトランジスタの構成に基づいてよい。特に、第１増幅器回路２２４がトランジスタであるとき、ソース閾電圧は、トランジスタの電源電圧からトランジスタの閾電圧を引いたものであってよい。
【００３５】
出力ノード２１０での電圧がソース閾電圧を下回る場合に、第１増幅器回路２２４は、電流ソース回路２２２に、出力ノード２１０へ供給される電流の量を低減させるよう構成されてよい。幾つかの実施形態では、電流低減の量は、電圧レベルが出力ノード２１０のソース閾電圧を下回る量に比例してよい。例えば、電圧レベルがソース閾電圧から離れている場合に、電流の低減は、電圧レベルがソース閾電圧により近い場合よりも大きくてよい。
【００３６】
代替的に、又は追加的に、出力ノード２１０での電圧レベルがソース閾電圧を上回る場合に、第１増幅器回路２２４は、電流ソース回路２２２に、出力ノード２１０へ供給される電流の量を増大させるよう構成されてよい。幾つかの実施形態では、電流増大の量は、電圧レベルがソース閾電圧を上回る量に比例してよい。
【００３７】
第２増幅器回路２３４は、出力ノード２１０での電圧レベルに基づき、電流シンク回路２３２によって吸収される電流を調整するよう構成されてよい。例えば、出力ノード２１０での電圧がシンク閾電圧を上回る場合に、第２増幅器回路２３４は、電流シンク回路２３２に、出力ノード２１０から吸収される電流の量を低減させるよう構成されてよい。幾つかの実施形態では、電流低減の量は、電圧レベルが出力ノード２１０のシンク閾電圧を上回る量に比例してよい。
【００３８】
代替的に、又は追加的に、出力ノード２１０での電圧レベルがシンク閾電圧を下回る場合に、第２増幅器回路２３４は、電流シンク回路２３２に、出力ノード２１０から吸収される電流の量を増大させるよう構成されてよい。幾つかの実施形態では、電流増大の量は、電圧レベルがシンク閾電圧を下回る量に比例してよい。
【００３９】
幾つかの実施形態では、シンク閾電圧は、回路２００ａの出力部での電圧振幅に基づいてよい。代替的に、又は追加的に、シンク閾電圧は、第２増幅器回路２３４の動作電圧及びパラメータに基づいてよい。例えば、第２増幅器回路２３４が１つ以上の能動素子（例えば、トランジスタなど）である場合に、シンク閾電圧は、トランジスタの閾電圧、トランジスタの種々の動作範囲のための電圧レベル、及び／又は回路２００ａにおけるトランジスタの構成に基づいてよい。
【００４０】
電流ソース回路２２２によって供給される電流及び電流シンク回路２３２によって吸収される電流における低減及び／又は増大は、電流ソース回路２２２及び電流シンク回路２３２の有限な出力インピーダンスに起因して、第１の量からの電流の変化に対抗してよい。
【００４１】
幾つかの実施形態では、第１増幅器回路２２４は、出力ノード２１０での電圧に対する動作範囲を有してよい。例えば、第１増幅器回路２２４は、出力ノード２１０での電圧が特定の範囲内にある場合に、電流ソース回路２２２によって供給される電流を調整するよう動作してよい。出力ノード２１０での電圧が第１増幅器回路２２４の動作範囲外にある場合に、第１増幅器回路２２４は、電流ソース回路２２２によって供給される電流を調整しなくてよい。幾つかの実施形態では、第１増幅器回路２２４は、出力ノード２１０で現れ得る電圧の範囲よりも小さい第１動作範囲を有してよい。例えば、出力ノード２１０での電圧が０．０から１．０ボルトの範囲をとり得ると仮定する。第１増幅器回路２２４の第１動作範囲は、０．０から０．７ボルトの範囲をとってよい。よって、出力ノード２１０での電圧が０．０から０．７ボルトの間にあるとき、第１増幅器回路２２４は、電流ソース回路２２２に、出力ノード２１０へ供給される電流を調整させてよい。出力ノード２１０での電圧が０．７から１．０ボルトの間にあるとき、第１増幅器回路２２４は、電流ソース回路２２２に、出力ノード２１０へ供給される電流を調整させなくてよい。
【００４２】
幾つかの実施形態では、第２増幅器回路２３４も、出力ノード２１０の電圧の範囲に対する動作範囲を有してよい。特に、第２増幅器回路２３４は、出力ノード２１０での電圧の範囲よりも小さい第２動作範囲を有してよい。
【００４３】
幾つかの実施形態では、第１増幅器回路２２４の第１動作範囲は、第２増幅器回路２３４の第２動作範囲と重なり合ってよい。そのような及び他の実施形態では、第１増幅器回路２２４の第１動作範囲内の電圧の一部は、第２増幅器回路２３４の第２動作範囲内の電圧よりも低くてよい。例えば、出力ノード２１０の電圧範囲が０．０から１．０ボルトの間であるとき、第１動作範囲は０．０から０．７ボルトであってよく、第２動作範囲は０．４から１．０ボルトであってよい。そのような及び他の実施形態では、出力ノード２１０の電圧範囲は、回路２００ａの電源電圧に基づいてよい。例えば、出力ノード２１０の電圧範囲の上限は、回路２００ａの電源電圧に基づくか、あるいは、それに略等しくてよい。
【００４４】
ここで記載されるように、回路２００ａは、同数のアップ及びダウン信号について、出力２１０へ供給される電流と出力ノード２１０から吸収される電流との間の差を小さくするように、第１増幅器回路２２４及び第２増幅器回路２３４をこのように使用してよい。出力ノード２１０に対して供給される電流及び吸収される電流の間の差を小さくすることによって、回路２００ａは、回路２００ａが使用され得るＰＬＬにおける静的位相誤差を低減することができる。
【００４５】
変更、追加、又は削除は、本開示の適用範囲から逸脱することなしに、回路２００ａに対してなされてよい。例えば、幾つかの実施形態では、回路２００ａは、他の受動及び／又は能動回路素子を有してよい。代替的に、又は追加的に、第１増幅器回路２２４及び第２増幅器回路２３４のゲインは、調整可能であるか、又は固定であってよい。
【００４６】
図２Ｂは、ここで記載される少なくとも１つの実施形態に従って配置される、例となるチャージポンプ回路２００ｂ（“回路２００ｂ”）の図である。回路２００ｂは、電流シンク回路２３２によって吸収される電流が調整され得ない点を除いて、図２Ａの出力ノード２１０、第１スイッチ回路２２０、電流ソース回路２２２、第２スイッチ回路２３０、及び電流シンク回路２３２を有してよい。
【００４７】
回路２００ｂは、第１増幅器回路２４０及び第２増幅器回路２４２を更に有する。第１増幅器回路２４０及び第２増幅器回路２４２はいずれも、出力ノード２１０での電圧レベルに基づき、電流ソース回路２２２によって供給される電流を調整するよう構成されてよい。そのような及び他の実施形態では、第１増幅器回路２４０及び第２増幅器回路２４２は、異なる動作範囲を有してよい。第１増幅器回路２４０は第１動作範囲を有してよく、第２増幅器回路２４２は第２動作範囲を有してよい。第１動作範囲及び第２動作範囲はいずれも個々には出力ノード２１０での電圧の範囲をカバーしなくてよい。しかし、第１動作範囲及び第２動作範囲は重なり合い、電流ソース回路２２２が出力ノード２１０での電圧の全て又は大部分のために調整され得るように構成されてよい。
【００４８】
例えば、出力ノード２１０での電圧が閾電圧、例えば、出力ノード２１０の中間電圧を下回るとき、第１増幅器回路２４０は、電流ソース回路２２２に、出力ノード２１０へ供給される電流を低減するように指示するか、及び／又はそのようにさせるよう構成されてよい。代替的に、又は追加的に、出力ノード２１０での電圧が閾電圧以上であるとき、第２増幅器回路２４２は、電流ソース回路２２２に、出力ノード２１０へ供給される電流を増大するように指示するか、及び／又はそのようにさせるよう構成されてよい。第１増幅器回路２４０及び第２増幅器回路２４２を用いると、回路２００ｂは、同数のアップ及びダウン信号について、出力ノード２１０へ供給される電流と出力ノード２１０から吸収される電流との間の差を小さくすることができる。
【００４９】
変更、追加、又は削除は、本開示の適用範囲から逸脱することなしに、回路２００ｂに対してなされてよい。例えば、幾つかの実施形態では、回路２００ｂは、他の受動及び／又は能動回路素子を有してよい。代替的に、又は追加的に、第１増幅器回路２４０及び第２増幅器回路２４２のゲインは、調整可能であるか、又は固定であってよい。
【００５０】
図３は、ここで記載される少なくとも１つの実施形態に従って配置される、例となるチャージポンプ回路３００（“回路３００”）の図である。回路３００は、出力ノード３１０、第１スイッチトランジスタ３２０、第２スイッチトランジスタ３２２、第１増幅器トランジスタ３３０、第２増幅器トランジスタ３３２、電流ソース回路３４０、電流シンク回路３５０、及び電流源回路３６０を有してよい。幾つかの実施形態では、回路３００は、図２Ａに表されている図のトランジスタレベルでの構成の例であってよい。
【００５１】
回路３００は、様々なトランジスタを有する。トランジスタの夫々は、ゲート端子、ソース端子、及びドレイン端子を有してよい。図３に表されるように、ソース端子は、矢印を伴った端子であってよく、ゲート端子は、平行な水平線を伴った端子であってよく、ドレイン端子は、残りの端子であってよい。
【００５２】
電流ソース回路３４０は、ソーストランジスタ３４２及び３４４を有してよく、出力ノード３１０へ電流Ｉ３を供給するよう構成されてよい。電流シンク回路３５０は、シンクトランジスタ３５２及び３５４を有してよく、出力ノード３１０から電流Ｉ５を吸収するよう構成されてよい。
【００５３】
第１スイッチトランジスタ３２０は、アップ信号へ結合されたゲート端子と、電圧源へ結合されたソース端子と、ソーストランジスタ３４２へ結合されたドレイン端子とを有してよい。アップ信号は、例えば図１の位相検出回路１１０などの位相検出回路によって供給されてよい。アップ信号が第１の状態、例えば論理０にあるとき、第１スイッチトランジスタ３２０は導通し、電源電圧から出力ノード３１０へソーストランジスタ３４２を通じて電流Ｉ３を流してよい。出力ノード３１０へ供給される電流Ｉ３の量は、以降で説明されるように、ソーストランジスタ３４２によって調整されてよい。アップ信号が第２の状態、例えば論理１にあるとき、第１スイッチトランジスタ３２０は導通しなくてよい。結果として、電流Ｉ３は、電源電圧から出力ノード３１０へ供給され得ない。
【００５４】
第２スイッチトランジスタ３２２は、ダウン信号へ結合されたゲート端子と、接地へ結合されたソース端子と、シンクトランジスタ３５２へ結合されたドレイン端子とを有してよい。ダウン信号は、例えば図１の位相検出回路１１０などの位相検出回路によって供給されてよい。ダウン信号が第１の状態、例えば論理０にあるとき、第２スイッチトランジスタ３２２は導通しなくてよい。結果として、電流Ｉ５は、出力ノード３１０から接地へ吸収され得ない。ダウン信号が第２の状態、例えば論理１にあるとき、第２スイッチトランジスタ３２２は導通し、出力ノード３１０から接地へシンクトランジスタ３５２を通じて電流Ｉ５を流してよい。出力ノード３１０から吸収される電流Ｉ５の量は、以降で説明されるように、シンクトランジスタ３５２によって調整されてよい。
【００５５】
アップ及びダウン信号は、第１スイッチトランジスタ３２０及び第２スイッチトランジスタ３２２のうちの一方が所与の時点で導通しているように構成されてよい。結果として、電流ソース回路３４０及び電流シンク回路３５０は、同時に電流を供給及び吸収し得ない。
【００５６】
第１増幅器トランジスタ３３０は、出力ノード３１０へ結合されたゲート端子と、電圧源へ結合されたソース端子と、ノード３４１へ結合されたドレイン端子とを有してよい。ノード３４１は、ソーストランジスタ３４２及び３４４のゲート端子へも結合されてよい。出力ノード３１０での電圧レベルに基づき、第１増幅器トランジスタ３３０は、そのソース及びドレイン端子間で電流を導いてよい。第１増幅器トランジスタ３３０の導通の量は、出力ノード３１０での電圧レベルに基づき変化してよい。
【００５７】
第１増幅器トランジスタ３３０は、出力ノード３１０での電圧レベルが第１増幅器トランジスタ３３０の閾カットオフ電圧よりも低い場合に導通してよく、出力ノード３１０での電圧レベルがその閾カットオフ電圧よりも高い場合に導通しなくてよい。第１増幅器トランジスタ３３０の導通は、ノード３４１での電圧を変化させてよい。例えば、第１増幅器トランジスタ３３０が導通するとき、ノード３４１での電圧は増大してよく、第１増幅器トランジスタ３３０が導通しないとき、ノード３４１での電圧は低下してよい。よって、ノード３４１での電圧は、出力ノード３１０での電圧に対して逆型の関係を有してよい。
【００５８】
電流ソース回路３４０は、出力ノード３１０へ電流Ｉ３を供給するよう構成されてよい。電流Ｉ３は、電流源回路３６０からの電流Ｉ１と、第１増幅器トランジスタ３３０による電流調整とに基づいてよい。例えば、電流源回路３６０は電流Ｉ１を供給されてよい。電流源回路３６０は、電流ミラーが電流源回路３６０と電流ソース回路３４０との間に存在するように構成されてよい。よって、第１増幅器トランジスタ３３０がノード３４１での電圧を調整しないとき、ソーストランジスタ３４４を流れる電流Ｉ２は、電流源回路３６０へ供給される電流Ｉ１に等しいか又はそれに比例してよい。電流Ｉ２は、ソーストランジスタ３４４が電流源回路３６０内のトランジスタと同様の幅を有するように構成される場合に電流Ｉ１に等しく、ソーストランジスタ３４４が電流源回路３６０内のトランジスタと比例する幅を有するように構成される場合に比例してよい。
【００５９】
ソーストランジスタ３４４及びソーストランジスタ３４２はまた、電流ミラー構成において構成されてよい。結果として、出力ノード３１０へ供給される電流Ｉ３は、電流Ｉ１に等しいか又はそれに比例してよい。よって、第１増幅器トランジスタ３３０がノード３４１での電圧を調整しないとき、電流Ｉ１及び電流Ｉ３は、電流ソース回路３４０の無限の出力インピーダンスを仮定して、等しいか又は比例してよい。
【００６０】
第１増幅器トランジスタ３３０がノード３４１での電圧を調整するとき、ノード３４１での電圧は、ソーストランジスタ３４４が導く電流Ｉ２の量を調整する。ソーストランジスタ３４４とソーストランジスタ３４２との間の電流ミラーのために、ノード３４１での電圧はまた、出力ノード３１０へ供給される電流Ｉ３の量を調整してよい。このように、第１増幅器トランジスタ３３０は、電流ソース回路３４０によって出力ノード３１０へ供給される電流を調整してよい。
【００６１】
第２増幅器トランジスタ３３２は、出力ノード３１０での電圧が大に増幅器トランジスタ３３２の閾カットオフ電圧よりも高い場合に導通してよく、出力ノード３１０での電圧がその閾カットオフ電圧よりも低い場合に導通しなくてよい。第２増幅器トランジスタ３３２の導通は、ノード３５１での電圧を変化させてよい。例えば、第２増幅器トランジスタ３３２が導通するとき、ノード３５１での電圧は低下してよく、第２増幅器トランジスタ３３２が導通しないとき、ノード３５１での電圧は増大してよい。よって、ノード３５１での電圧は、出力ノード３１０での電圧に対して逆型の関係を有してよい。
【００６２】
電流シンク回路３５０は、出力ノード３１０から電流Ｉ５を吸収するよう構成されてよい。電流Ｉ５は、電流源回路３６０へ供給される電流Ｉ１と、第２増幅器トランジスタ３３２による電流調整とに基づいてよい。例えば、電流源回路３６０は、電流ミラーが電流源回路３６０と電流シンク回路３５０との間に存在するように構成されてよい。よって、第２増幅器トランジスタ３３２がノード３５１での電圧を調整しないとき、シンクトランジスタ３５４を流れる電流Ｉ４は、電流源回路３６０へ供給される電流Ｉ１に等しいか又はそれに比例してよい。
【００６３】
シンクトランジスタ３５２及び３５４はまた、電流ミラー構成において構成されてよい。結果として、出力ノード３１０から吸収される電流Ｉ５は、電流Ｉ４に等しいか又はそれに比例してよい。よって、第２増幅器トランジスタ３３２がノード３５１での電圧を調整しないとき、電流Ｉ１及びＩ５は等しいか又は比例してよい。同様に、第２増幅器トランジスタ３３２がノード３５１での電圧を調整しないとき且つ第１増幅器トランジスタ３３０がノード３４１での電圧を調整しないとき、電流Ｉ３及びＩ５は、電流ソース回路３４０及び電流シンク回路３５０の無限の出力インピーダンスを仮定して、等しくてよい。
【００６４】
第２増幅器トランジスタ３３２がノード３５１での電圧を調整するとき、ノード３５１での電圧は、シンクトランジスタ３５４が導く電流Ｉ４の量を調整してよい。シンクトランジスタ３５２及び３５４の間の電流ミラーのために、ノード３５１での電圧はまた、出力ノード３１０から吸収される電流Ｉ５の量を調整してよい。このように、第２増幅器トランジスタ３３２は、電流シンク回路３５０によって出力ノード３１０から吸収される電流を調整してよい。
【００６５】
回路３００の動作の簡単な説明は次の通りである。出力ノード３１０での電圧が低く、例えば、第１増幅器トランジスタ３３０の閾カットオフ電圧を下回るとき、第１増幅器トランジスタ３３０はノード３４１での電圧を上げてよく、それにより、出力ノード３１０へ供給される電流Ｉ３は低減され得る。出力ノード３１０での電圧が低い場合に出力ノード３１０へ供給される電流Ｉ３を低減することは、電流ソース回路３４０の有限な出力インピーダンスに起因した電流Ｉ３の増大に対抗し得る。
【００６６】
同じようにして、出力ノード３１０での電圧が高く、例えば、第２増幅器トランジスタ３３２の閾カットオフ電圧を上回るとき、第２増幅器トランジスタ３３２はノード３５１での電圧を下げてよく、それにより、出力ノード３１０から吸収される電流Ｉ５は低減され得る。出力ノード３１０での電圧が高い場合に出力ノード３１０から吸収される電流Ｉ５を低減することは、電流シンク回路３５０の有限な出力インピーダンスに起因した電流Ｉ５の増大に対抗し得る。このように、回路３００は、出力ノード３１０へ供給される電流及び出力ノード３１０から吸収される電流を調整して、回路３００によって受信される同数のアップ及びダウン信号について供給及び吸収される電流を同じレベルでより厳密に維持するよう動作してよい。
【００６７】
変更、追加、又は削除は、本開示の適用範囲から逸脱することなしに、回路３００に対してなされてよい。例えば、幾つかの実施形態では、回路３００は、１つ以上の受動及び／又は能動回路部品を有してよい。代替的に、又は追加的に、第１増幅器トランジスタ３３０及び第２増幅器トランジスタ３３２のゲインは、調整可能であるか、又は固定であってよい。代替的に、又は追加的に、電流Ｉ１は、出力ノード３１０へ供給及び／又はそれから吸収される電流を調整するよう調整されてよい。
【００６８】
図４Ａは、ここで記載される少なくとも１つの実施形態に従って配置される、例となるチャージポンプ回路４００ａ（回路４００ａ）の図である。回路４００ａは、出力ノード４１０、第１スイッチトランジスタ４２０、第２スイッチトランジスタ４２２、インバータ回路４３０、電流ソース回路４４０、電流シンク回路４５０、及び電流源回路４６０を有してよい。幾つかの実施形態では、回路４００ａは、図２Ｂに表されている回路図のトランジスタレベルでの構成の例であってよい。
【００６９】
回路４００ａは、様々なトランジスタを有する。トランジスタの夫々は、ゲート端子、ソース端子、及びドレイン端子を有してよい。図４ａに表されるように、ソース端子は、矢印を伴った端子であってよく、ゲート端子は、平行な水平線を伴った端子であってよく、ドレイン端子は、残りの端子であってよい。
【００７０】
電流ソース回路４４０は、ソーストランジスタ４４２及び４４４を有してよく、出力ノード４１０へ電流Ｉ３を供給するよう構成されてよい。電流シンク回路４５０は、シンクトランジスタ４５２を有してよく、出力ノード４１０から電流Ｉ４を吸収するよう構成されてよい。
【００７１】
第１スイッチトランジスタ４２０及び第２スイッチトランジスタ４２２は、図３の第１スイッチトランジスタ３２０及び第２スイッチトランジスタ３２２と同じように構成されてよい。よって、更なる説明は、図４に関して第１スイッチトランジスタ４２０及び第２スイッチトランジスタ４２２のために与えられない。
【００７２】
インバータ回路４３０は、出力ノード４１０へ及びノード４４１へ結合されてよい。インバータ回路４３０は、出力ノード４１０での電圧を反転させ、そのようにして反転された電圧をノード４４１で出力してよい。例えば、ノード４４１での電圧は、出力ノード４１０の中間電圧レベルに対する出力ノード４１０での電圧の反転であってよい。例えば、０．５ボルトの中間電圧レベルによれば、出力ノード４１０での１．０ボルトは、ノード４４１での０．０ボルトであってよい。
【００７３】
電流ソース回路４４０は、出力ノード４１０へ電流Ｉ３を供給するよう構成されてよい。電流Ｉ３は、電流源回路４６０からの電流Ｉ１と、インバータ回路４３０による電流調整とに基づいてよい。例えば、電流源回路４６０は電流Ｉ１を供給されてよい。電流源回路４６０は、電流ミラーが電流源回路４６０と電流ソース回路４４０との間に存在するように構成されてよい。よって、インバータ回路４３０によって引き起こされる電圧の変化がなければ、ソーストランジスタ４４４を流れる電流Ｉ２は、電流源回路４６０へ供給される電流Ｉ１に等しいか又はそれに比例してよい。
【００７４】
ソーストランジスタ４４４及びソーストランジスタ４４２はまた、電流ミラー構成において構成されてよい。結果として、出力ノード４１０へ供給される電流Ｉ３は、電流Ｉ２に等しいか又はそれに比例してよい。よって、インバータ回路４３０によって引き起こされる電圧の変化がなければ、電流Ｉ１及び電流Ｉ３は、電流ソース回路４４０の無限の出力インピーダンスを仮定して、等しいか又は比例してよい。
【００７５】
インバータ回路４３０がノード４４１での電圧を調整するとき、ノード４４１での電圧は、ソーストランジスタ４４４が導く電流Ｉ２の量を調整する。ソーストランジスタ４４４とソーストランジスタ４４２との間の電流ミラーのために、ノード４４１での電圧はまた、出力ノード４１０へ供給される電流Ｉ３の量を調整してよい。このように、インバータ回路４３０は、電流ソース回路４４０によって出力ノード４１０へ供給される電流を調整してよい。
【００７６】
電流シンク回路４５０は、出力ノード４１０から電流Ｉ４を吸収するよう構成されてよい。電流Ｉ４は、電流源回路４６０へ供給される電流Ｉ１に基づいてよい。例えば、電流源回路４６０は、電流ミラーが電流源回路４６０と電流シンク回路４５０との間に存在するように構成されてよい。よって、シンクトランジスタ４５２と流れる電流Ｉ４は、電流源回路４６０へ供給される電流Ｉ１に等しいか又はそれに比例してよい。
【００７７】
回路４００ａの動作の簡単な説明は次の通りである。出力ノード４１０での電圧が高いとき、インバータ回路４３０はノード４１０での電圧を下げてよい。ノード４４１での電圧の低下は、電流Ｉ３を増大させてよい。電流Ｉ３の増大は、出力ノード４１０での電圧が高い場合に電流シンク回路４５０の有限な出力インピーダンスに起因した電流Ｉ４の増大に適合するのを助けてよい。
【００７８】
出力ノード４１０での電圧が低いとき、インバータ回路４３０はノード４１０での電圧を上げてよい。ノード４１０での電圧の上昇は、電流Ｉ３を低減させてよい。電流Ｉ３の低減は、電流ソース回路４４０の有限な出力インピーダンスに起因した電流Ｉ３の増大を補償するのを助けてよい。
【００７９】
変更、追加、又は削除は、本開示の適用範囲から逸脱することなしに、回路４００ａに対してなされてよい。例えば、幾つかの実施形態では、回路４００ａは、１つ以上の受動及び／又は能動回路部品を有してよい。代替的に、又は追加的に、インバータ回路４３０のゲインは、調整可能であるか、又は固定であってよい。代替的に、又は追加的に、電流Ｉ１は、出力ノード４１０へ供給及び／又はそれから吸収される電流を調整するよう調整されてよい。
【００８０】
図４Ｂは、ここで記載される少なくとも１つの実施形態に従って配置される、例となるチャージポンプ回路４００ｂ（“回路４００ｂ”）の図である。回路４００ｂは、インバータ回路４３０の例となる実施形態を表している点を除いて、回路４００ａと同じであってよい。図４Ｂに表されるように、インバータ回路４３０は、第１増幅器トランジスタ４３２及び第２増幅器トランジスタ４３４を有してよい。第１増幅器トランジスタ４３２及び第２増幅器トランジスタ４３４のゲートは、出力ノード４１０へ結合されてよい。第１増幅器トランジスタ４３２のソースは電源電圧へ結合されてよく、第２増幅器トランジスタ４３４のソースは接地へ結合されてよい。第１増幅器トランジスタ４３２及び第２増幅器トランジスタ４３４のドレインはノード４４１へ結合されてよい。第１増幅器トランジスタ４３２及び第２増幅器トランジスタ４３４は、図４Ａに関して記載されたインバータ回路４３０の動作と同じように動作してよい。
【００８１】
変更、追加、又は削除は、本開示の適用範囲から逸脱することなしに、回路４００ｂに対してなされてよい。例えば、幾つかの実施形態では、回路４００ｂは、１つ以上の受動及び／又は能動回路部品を有してよい。代替的に、又は追加的に、第１増幅器トランジスタ４３２及び第２増幅器トランジスタ４３４のゲインは、調整可能であるか、又は固定であってよい。代替的に、又は追加的に、電流Ｉ１は、出力ノード４１０へ供給及び／又はそれから吸収される電流を調整するよう調整されてよい。
【００８２】
図３、４Ａ、及び４Ｂにおいて、図示されているトランジスタは、金属酸化膜半導体電界効果トランジスタ（ＭＯＳＦＥＴ）として表されている。前述の記載は、トランジスタの異なる端子を表すように用語ゲート、ソース、及びドレインを使用している。名称ゲート、ソース、及びドレインの使用は、ＭＯＳＦＥＴトランジスタ、又は他のタイプのトランジスタ、例えばバイポーラ接合トランジスタ（ＢＪＴ）、接合ゲート電界効果トランジスタ（ＪＦＥＴ）、及び絶縁ゲートバイポーラトランジスタなどの端子を総称的に記載するために使用されてよい。更に、幾つかの実施形態では、ｎ型及びｐ型のトランジスタの何らかの組み合わせが、図示されている以外にも使用されてよい。
【００８３】
図５は、ここで記載される少なくとも１つの実施形態に従って配置される、チャージポンプにおいて電流を調整する例となる方法５００のフローチャートである。方法５００は、幾つかの実施形態では、例えば、図２Ａ、２Ｂ、３、４Ａ及び４Ｂの回路２００ａ、２００ｂ、３００、４００ａ又は４００ｂなどの回路によって実施されてよい。たとえ個別のブロックとして表されていても、様々なブロックは、所望の実施に応じて、更なるブロックに分けられても、より少ないブロックにまとめられても、あるいは、削除されてもよい。
【００８４】
方法５００はブロック５０２から開始してよい。ブロック５０２で、チャージポンプ回路の出力ノードへ供給される第１電流量は、出力ノードでの電圧に基づき調整されてよい。ブロック５０４で、チャージポンプ回路の出力ノードから吸収される第２電流量は、出力ノードでの電圧に基づき調整されてよい。
【００８５】
幾つかの実施形態では、出力ノードでの電圧が閾電圧を下回るとき、出力ノードへ供給される第１電流量は低減されてよく、出力ノードから吸収される第２電流量は増大されてよい。代替的に、又は追加的に、出力ノードでの電圧が閾電圧を上回るとき、出力ノードへ供給される第１電流量は増大されてよく、出力ノードから吸収される第２電流量は低減されてよい。
【００８６】
当業者に明らかなように、ここで開示されているこの及び他のプロセス及び方法について、プロセス及び方法において実行される機能は異なる順序で実装されてよい。更に、説明されるステップ及び動作は、単に例として与えられており、ステップ及び動作の幾つかは、開示されている実施形態の本質から外れることなしに、任意であっても、より少ないステップ及び動作にまとめられても、あるいは、更なるステップ及び動作に展開されてもよい。
【００８７】
例えば、幾つかの実施形態では、方法５００は、第１の増幅器による出力ノードへ供給される第１電流量の調整を管理し、第２の増幅器による出力ノードから吸収される第２電流量の調整を管理することを更に有してよい。
【００８８】
対象は、構造的な特徴及び／又は方法論的な動作に特有の言語において記載されてきたが、添付の特許請求の範囲で定義される対象は、上述された具体的な特徴又は動作に必ずしも制限されない点が理解されるべきである。むしろ、上述された具体的な特徴及び動作は、特許請求の範囲を実装する例となる形態として開示される。
【００８９】
ここで挙げられている全ての例及び条件付き語は、当該技術の促進に対して発明者によって寄与される概念及び発明を読者が理解するのを助ける教育上の目的を意図され、そのような具体的に挙げられている例及び条件に制限されないものとして解釈されるべきである。本発明の実施形態が詳細に記載されてきたが、様々な変更、置換及び代替は、本発明の主旨及び適用範囲から逸脱することなしに行われてよいことが理解されるべきである。
【００９０】
上記の実施形態に加えて、以下の付記を開示する。
（付記１）
出力ノードと、
前記出力ノードへ電流を供給するよう構成される電流ソース回路と、
前記出力ノードから電流を吸収するよう構成される電流シンク回路と、
前記出力ノードでの電圧に基づき、前記電流ソース回路によって供給される第１電流量を調整するよう構成される第１増幅器回路と、
前記出力ノードでの前記電圧に基づき、前記電流ソース回路によって供給される前記第１電流量、又は前記電流シンク回路によって吸収される第２電流量を調整するよう構成される第２増幅器回路と
を有するチャージポンプ回路。
（付記２）
前記第２増幅器回路は、前記出力ノードでの前記電圧に基づき、前記電流シンク回路によって吸収される前記第２電流量のみを調整するよう構成される、
付記１に記載のチャージポンプ回路。
（付記３）
前記出力ノードでの前記電圧が閾電圧を下回る場合に、前記第１増幅器回路は、前記電流ソース回路によって供給される前記第１電流量を減らすよう構成され、前記第２増幅器回路は、前記電流シンク回路によって吸収される前記第２電流量を増やすよう構成される、
付記２に記載のチャージポンプ回路。
（付記４）
前記出力ノードでの前記電圧が前記閾電圧を上回る場合に、前記第２増幅器回路は、前記電流シンク回路によって吸収される前記第２電流量を減らすよう構成され、前記第１増幅器回路は、前記電流ソース回路によって供給される前記第１電流量を増やすよう構成される、
付記３に記載のチャージポンプ回路。
（付記５）
前記第２増幅器回路は、前記電流ソース回路によって供給される前記第１電流量のみを調整するよう構成される、
付記１に記載のチャージポンプ回路。
（付記６）
前記出力ノードでの前記電圧が閾電圧を下回る場合に、前記第１増幅器回路は、前記電流ソース回路によって供給される前記第１電流量を減らすよう構成され、
前記出力ノードでの前記電圧が前記閾電圧を上回る場合に、前記第２増幅器回路は、前記電流ソース回路によって供給される前記第１電流量を増やすよう構成される、
付記５に記載のチャージポンプ回路。
（付記７）
前記第１増幅器回路は、前記出力ノードでの前記電圧に対して第１動作範囲を有し、
前記第２増幅器回路は、前記出力ノードでの前記電圧に対して第２動作範囲を有し、
前記第１動作範囲及び前記第２動作範囲は、重なり合う、
付記１に記載のチャージポンプ回路。
（付記８）
前記第１増幅器回路の前記第１動作範囲は、前記第２増幅器回路の前記第２動作範囲よりも低い、
付記７に記載のチャージポンプ回路。
（付記９）
前記第１増幅器回路の前記第１動作範囲は、接地で限界を有し、
前記第２増幅器回路の前記第２動作範囲は、当該チャージポンプ回路の電源電圧で限界を有する、
付記７に記載のチャージポンプ回路。
（付記１０）
前記電流ソース回路と前記出力ノードとを選択的に電気的に結合するよう構成される第１スイッチ回路と、
前記電流シンク回路と前記出力ノードとを選択的に電気的に結合するよう構成される第２スイッチ回路と
を更に有する付記１に記載のチャージポンプ回路。
（付記１１）
出力ノードと、
電源電流を供給するよう構成される電流入力ノードと、
前記電源電流に基づき前記出力ノードへ電流を供給するよう構成される第１電流ミラー回路と、
前記電源電流に基づき前記出力ノードから電流を吸収するよう構成される第２電流ミラー回路と、
前記出力ノードでの電圧に基づき、前記第１電流ミラー回路によって供給される電流の量を調整するよう構成されるインバータ回路と
を有するチャージポンプ回路。
（付記１２）
前記出力ノードでの前記電圧が閾電圧を下回る場合に、前記インバータ回路は、前記第１電流ミラー回路によって供給される第１電流量を減らすよう構成され、
前記出力ノードでの前記電圧が前記閾電圧を上回る場合に、前記インバータ回路は、前記第１電流ミラー回路によって供給される前記第１電流量を増やすよう構成される、
付記１１に記載のチャージポンプ回路。
（付記１３）
前記インバータ回路は、第１増幅器回路及び第２増幅器回路を含む、
付記１１に記載のチャージポンプ回路。
（付記１４）
前記第１増幅器回路は、前記出力ノードでの前記電圧に対して第１動作範囲を有し、
前記第２増幅器回路は、前記出力ノードでの前記電圧に対して第２動作範囲を有し、
前記第１動作範囲及び前記第２動作範囲は、重なり合う、
付記１３に記載のチャージポンプ回路。
（付記１５）
前記第１増幅器回路の前記第１動作範囲は、接地で限界を有し、
前記第２増幅器回路の前記第２動作範囲は、当該チャージポンプ回路の電源電圧で限界を有する、
付記１４に記載のチャージポンプ回路。
（付記１６）
前記第１電流ミラー回路と前記出力ノードとを選択的に電気的に結合するよう構成される第１スイッチ回路と、
前記第２電流ミラー回路と前記出力ノードとを選択的に電気的に結合するよう構成される第２スイッチ回路と
を更に有する付記１１に記載のチャージポンプ回路。
（付記１７）
チャージポンプ回路の出力ノードへ供給される第１電流量を、前記出力ノードでの電圧に基づき調整し、
前記チャージポンプ回路の前記出力ノードから吸収される第２電流量を、前記出力ノードでの前記電圧に基づき調整する
ことを有する方法。
（付記１８）
前記出力ノードでの前記電圧が閾電圧を下回る場合に、前記出力ノードへ供給される前記第１電流量は減らされ、前記出力ノードから吸収される前記第２電流量は増やされる、
付記１７に記載の方法。
（付記１９）
前記出力ノードでの前記電圧が前記閾電圧を上回る場合に、前記出力ノードへ供給される前記第１電流量は増やされ、前記出力ノードから吸収される前記第２電流量は減らされる、
付記１８に記載の方法。
（付記２０）
第１増幅器によって、前記出力ノードへ供給される前記第１電流量の調整を管理し、
第２増幅器によって、前記出力ノードから吸収される前記第２電流量の調整を管理する
ことを更に有する付記１７に記載の方法。
【符号の説明】
【００９１】
１００                                      ＰＬＬ回路
１１０                                      位相検出回路
１２０，２００ａ〜ｂ，３００，４００ａ〜ｂ  チャージポンプ回路
１３０                                      ループフィルタ回路
１４０                                      ＶＣＯ
１５０                                      分割器回路
２１０，３１０，４１０                      出力ノード
２２０                                      第１スイッチ回路
２２２，３４０、４４０                      電流ソース回路
２２４，２４０                              第１増幅器回路
２３０                                      第２スイッチ回路
２３２，３５０，４５０                      電流シンク回路
２３４，２４２                              第２増幅器回路
３２０，４２０                              第１スイッチトランジスタ
３２２，４２２                              第２スイッチトランジスタ
３３０，４３２                              第１増幅器トランジスタ
３３２，４３４                              第２増幅器トランジスタ
３６０，４６０                              電流源回路
４３０                                      インバータ回路
【図１】
2016195377.tif 000003
【図２Ａ】
2016195377.tif 000004
【図２Ｂ】
2016195377.tif 000005
【図３】
2016195377.tif 000006
【図４Ａ】
2016195377.tif 000007
【図４Ｂ】
2016195377.tif 000008
【図５】
2016195377.tif 000009